(57)【要約】【課題】  ポーチ庇が取付られる庇取付部を設けた庇取付用間柱の強度を簡易に向上すること。【解決手段】  玄関部１０Ａの間柱１６に設けた庇取付部３０にポーチ庇２１が取付けられてなる玄関ポーチ２０の構造において、前記間柱１６に連結片５０が接合され、この間柱１６が該連結片５０により隣接する他の間柱１４に連結されるもの。【選択図】  図３
2014025322.tif 000002
【特許請求の範囲】
【請求項１】
玄関部の間柱に設けた庇取付部にポーチ庇が取付けられてなる玄関ポーチの構造において、
前記間柱に連結片が接合され、この間柱が該連結片により隣接する他の間柱に連結されることを特徴とする玄関ポーチの構造。
【請求項２】
前記間柱の連結片が該間柱の上面から横方向に突出されてなる請求項１に記載の玄関ポーチの構造。
【請求項３】
前記間柱の上面と該間柱に設けた庇取付部の上面とが面一をなし、それらの上面に連結片が載置されて接合されてなる請求項１又は２に記載の玄関ポーチの構造。
【請求項４】
前記間柱が連結片を介して玄関部の屋根梁の下面に接合されてなる請求項１〜３のいずれかに記載の玄関ポーチの構造。
【請求項５】
前記間柱の高さ方向の中間部に水平補強材が設けられてなる請求項１〜４のいずれかに記載の玄関ポーチの構造。
【請求項６】
前記間柱に設けた庇取付部のポーチ庇取付面に対する裏面に補強部材が設けられてなる請求項１〜５のいずれかに記載の玄関ポーチの構造。
【請求項７】
ポーチ庇が取付けられる庇取付部を設けた間柱の上面に、横方向に突出して隣接する他の間柱に連結される連結片を備えてなる玄関ポーチ用間柱。
【請求項８】
前記間柱の上面と該間柱に設けた庇取付部の上面とが面一をなし、それらの上面に連結片が載置されて接合されてなる請求項７に記載の玄関ポーチ用間柱。
【請求項９】
前記間柱の高さ方向の中間部に水平補強材が設けられてなる請求項７又は８に記載の玄関ポーチ用間柱。
【請求項１０】
前記間柱に設けた庇取付部のポーチ庇取付面に対する裏面に補強部材が設けられてなる請求項７〜９のいずれかに記載の玄関ポーチ用間柱。
【発明の詳細な説明】
【技術分野】
【０００１】
本発明は玄関ポーチの構造及び玄関ポーチ用間柱に関する。
【背景技術】
【０００２】
従来の玄関ポーチの構造は、特許文献１〜４に記載の如く、玄関部の間柱に設けた庇取付部にポーチ庇を取付けている。
【０００３】
尚、一般の玄関ポーチでは、ポーチ庇の下部に、該ポーチ庇の全幅より狭幅の玄関ドアを設けている。そして、玄関部におけるポーチ庇の全幅に対する両端部に両側の庇取付用間柱を立設するとともに、両側の庇取付用間柱に挟まれる２位置にドア枠固定用間柱を立設している。
【先行技術文献】
【特許文献】
【０００４】
【特許文献１】特開2000-96703
【特許文献２】特開平5-93447
【特許文献３】実開平4-11803
【特許文献４】特開2000-230302
【発明の概要】
【発明が解決しようとする課題】
【０００５】
従来の玄関ポーチの構造として、ポーチ庇が玄関部の両側の庇取付用間柱に設けた庇取付部に取付けられ、玄関前方に突き出されて片持ち支持されるものがある。
【０００６】
このような片持ち支持されたポーチ庇では、ポーチ庇の積雪荷重を含む重みに対する支持強度に不安がある。従来技術では、特許文献１に記載の如く、庇取付用間柱がポーチ庇の重みによって玄関前方に向けて撓み変形することがないように、２本のコ字形状の形鋼を連結して構成されている。このため、庇取付用間柱の全体が複雑大型化する。
【０００７】
本発明の課題は、ポーチ庇が取付られる庇取付部を設けた庇取付用間柱の強度を簡易に向上することにある。
【課題を解決するための手段】
【０００８】
請求項１に係る発明は、玄関部の間柱に設けた庇取付部にポーチ庇が取付けられてなる玄関ポーチの構造において、前記間柱に連結片が接合され、この間柱が該連結片により隣接する他の間柱に連結されるようにしたものである。
【０００９】
請求項２に係る発明は、請求項１に係る発明において更に、前記間柱の連結片が該間柱の上面から横方向に突出されてなるようにしたものである。
【００１０】
請求項３に係る発明は、請求項１又は２に係る発明において更に、前記間柱の上面と該間柱に設けた庇取付部の上面とが面一をなし、それらの上面に連結片が載置されて接合されてなるようにしたものである。
【００１１】
請求項４に係る発明は、請求項１〜３のいずれかに係る発明において更に、前記間柱が連結片を介して玄関部の屋根梁の下面に接合されてなるようにしたものである。
【００１２】
請求項５に係る発明は、請求項１〜４のいずれかに係る発明において更に、前記間柱の高さ方向の中間部に水平補強材が設けられてなるようにしたものである。
【００１３】
請求項６に係る発明は、請求項１〜５のいずれかに係る発明において更に、前記間柱に設けた庇取付部のポーチ庇取付面に対する裏面に補強部材が設けられてなるようにしたものである。
【００１４】
請求項７に係る発明は、ポーチ庇が取付けられる庇取付部を設けた間柱の上面に、横方向に突出して隣接する他の間柱に連結される連結片を備えてなる玄関ポーチ用間柱である。
【００１５】
請求項８に係る発明は、請求項７に係る発明において更に、前記間柱の上面と該間柱に設けた庇取付部の上面とが面一をなし、それらの上面に連結片が載置されて接合されてなるようにしたものである。
【００１６】
請求項９に係る発明は、請求項７又は８に係る発明において更に、前記間柱の高さ方向の中間部に水平補強材が設けられてなるようにしたものである。
【００１７】
請求項１０に係る発明は、請求項７〜９のいずれかに係る発明において更に、前記間柱に設けた庇取付部のポーチ庇取付面に対する裏面に補強部材が設けられてなるようにしたものである。
【発明の効果】
【００１８】
（請求項１）
(a)庇取付用間柱に連結片が接合され、この庇取付用間柱が該連結片により隣接する他の間柱に連結される。庇取付用間柱が隣接する他の間柱との連結により簡易に強度向上され、ポーチ庇の積雪荷重を含む重みによる該庇取付用間柱の玄関前方への撓み変形を回避できる。
【００１９】
（請求項２、７）
(b)庇取付用間柱の上面に、横方向に突出して隣接する他の間柱に連結される連結片を備えたことにより、上述(a)による庇取付用間柱と他の間柱との連結を一層簡易かつ確実に実現できる。
【００２０】
（請求項３、８）
(c)庇取付用間柱の上面と該庇取付用間柱に設けた庇取付部の上面とが面一をなし、それらの上面に連結片が載置されて接合される。これにより、連結片を庇取付用間柱とそれに設けてある庇取付部とに強固に接合し、この連結片によって庇取付用間柱と他の間柱とを一層強固に連結できる。
【００２１】
（請求項４）
(d)庇取付用間柱が連結片を介して玄関部の屋根梁の下面に接合される。庇取付用間柱が連結片とともに玄関部の屋根梁の下面に接合されるものになり、庇取付用間柱の強度を一層向上し、上述(a)のポーチ庇の積雪荷重を含む重みによる該庇取付用間柱の玄関前方への撓み変形を一層確実に回避できる。
【００２２】
（請求項５、９）
(e)庇取付用間柱の高さ方向の中間部に水平補強材が設けられることにより、庇取付用間柱を補強できる。上述(a)のポーチ庇の積雪荷重を含む重みによる該庇取付用間柱の玄関前方への撓み変形を一層確実に回避できる。
【００２３】
（請求項６、１０）
(f)庇取付用間柱に設けた庇取付部のポーチ庇取付面に対する裏面に補強部材を設けることにより、庇取付部を補強できる。ポーチ庇の積雪荷重を含む重みと、それによる回転力を、補強された庇取付部を介して庇取付用間柱に安定的に伝達できる。
【図面の簡単な説明】
【００２４】
【図１】図１は建物に設けた玄関ポーチの構造を示す模式平面図である。
【図２】図２は建物の玄関部を示す正面図である。
【図３】図３は建物の玄関部を見上げて示す斜視図である。
【図４】図４は庇取付用間柱に設けたポーチ庇を示す側面図である。
【図５】図５は庇取付用間柱と隣接するドア横間柱の連結状態を示す正面図である。
【図６】図６は庇取付用間柱を示す正面図である。
【図７】図７は図６の側面図ある。
【図８】図８は図６のVIII-VIII線に沿う断面図である。
【図９】図９は庇取付用間柱に接合した連結片を示し、（Ａ）は正面図、（Ｂ）は側面図、（Ｃ）は平面図である。
【図１０】図１０はドア横間柱を示し、（Ａ）は正面図、（Ｂ）は側面図、（Ｃ）は平面図である。
【図１１】図１１はコーナー間柱を示す背面図である。
【図１２】図１２は図１１の側面図である。
【図１３】図１３は図１１の平面図である。
【図１４】図１４は図１１の上端部姿図である。
【発明を実施するための形態】
【００２５】
図１は、建物１０の玄関部１０Ａにポーチ庇２１を取付けて玄関ポーチ２０を構成した模式図である。
【００２６】
建物１０は、複数の建物ユニットからなるユニット建物（又は一般建物でも可）からなり、図２、図３に示す如く、角鋼管製柱１１とＣ形鋼製床梁１２とＣ形鋼製屋根梁１３を接合した骨組構造体からなるものとされている。床梁１２と屋根梁１３はそれらのＣ形鋼のウエブを建物外面に臨ませている。玄関部１０Ａでは、床梁１２の長手方向に沿う中間部を切除した入口部１０Ｂの両側に左右のＣ形鋼製ドア横間柱１４、１５（図１０）が立設され、左側のドア横間柱１４の側傍にＣ形鋼製庇取付用間柱１６（図６〜図９）が立設され、右側のドア横間柱１５の側傍にリップ付Ｌ形鋼製コーナー柱１７（図１１〜図１４）が立設される。
【００２７】
ドア横間柱１４とドア横間柱１５はそれらの下端部と上端部を床梁１２と屋根梁１３にボルト接合され、それらの上端寄り部に架け渡されるマグサ１８Ａとともにドア枠を形成し、このドア枠内に配置される玄関ドア１９を一方のドア横間柱１５に枢支する。ドア横間柱１４とドア横間柱１５は、それらのＣ形鋼のウエブを床梁１２と屋根梁１３のＣ形鋼のウエブに面一となるように設置している。
【００２８】
庇取付用間柱１６は下端部と上端部を床梁１２と屋根梁１３にボルト接合され、後述する如くに設けた庇取付部３０にポーチ庇２１の基端部の幅方向の一端部を取付け可能にしている。ドア横間柱１４と庇取付用間柱１５の上端寄り部にはマグサ１８Ｂが架け渡される。庇取付用間柱１６は、そのＣ形鋼のウエブを床梁１２と屋根梁１３のＣ形鋼のウエブに面一となるように設置している。
【００２９】
コーナー間柱１７は建物１０における玄関部１０Ａのコーナーに設けられる柱１１に沿い設けられ、下端部と上端部を床梁１２と屋根梁１３にボルト接合される。コーナー間柱１７は後述する如くに設けた庇取付部４０にポーチ庇２１の基端部の幅方向の他端部を取付け可能にしている。ドア横間柱１５とコーナー間柱１７の上端寄り部にはマグサ１８Ｃが架け渡される。コーナー間柱１７は、そのＬ形鋼のウエブを床梁１２と屋根梁１３のＣ形鋼のウエブに面一となるように設置している。
【００３０】
図４は、ポーチ庇２１の取付構造を示す。ポーチ庇２１は、庇本体２１Ａの基端部の幅方向の両端側のそれぞれに腕木２１Ｂを設けている。他方、庇取付用間柱１６は、図６、図９に示す如く、ドア横間柱１４に臨む上端部の側面（Ｃ形鋼のフランジ）に、平板状庇取付部３０の一方の縦辺を溶接して設け、庇取付部３０に上下の取付孔３１Ａを備えている。庇取付部３０のポーチ庇取付面３１は庇取付用間柱１６の前面（Ｃ形鋼のウエブ）と面一となるように配置される。また、コーナー間柱１７は、図１１〜図１４に示す如く、ドア横間柱１５に臨む上端部の側面（Ｌ形鋼のウエブ）に、コ字状に折り曲げられた板状庇取付部４０の一方のコ字辺を溶接しており、庇取付部４０は上下の取付孔４１Ａを備えている。庇取付部４０のポーチ庇取付面４１はコーナー間柱１７の前面（Ｌ形鋼のウエブ）と面一となるように配置される。これらにより、ポーチ庇２１は基端部における両端側の腕木２１Ｂを庇取付用間柱１６の庇取付部３０のポーチ庇取付面３１とコーナー間柱１７の庇取付部４０のポーチ庇取付面４１に添設し、腕木２１Ｂに挿通される上下のボルト２２を庇取付部３０と庇取付部４０の取付孔３１Ａ、４１Ａに挿通して取付けられる。ポーチ庇２１は玄関部１０Ａの両側の庇取付用間柱１６とコーナー間柱１７に設けた庇取付部３０、４０に基端部が取付けられ、先端部が玄関前方に突き出されて片持ち支持されるものになる。
【００３１】
しかるに、庇取付用間柱１６は、図５に示す如くの連結片５０を接合され、この連結片５０により隣接するドア横間柱１４に連結される。
【００３２】
連結片５０は、図６、図７、図９に示す如く、庇取付用間柱１６の上面から水平横方向に突出される。連結片５０は、庇取付用間柱１６の上面（間柱１６のＣ形鋼のフランジとウエブの上端面）に載置されて溶接される広幅部５１と、庇取付用間柱１６のＣ形鋼のウエブに沿って横方向に延在される狭幅部５２とからなる。尚、広幅部５１は庇取付用間柱１６のＣ形鋼のフランジの上端面が側面視でくの字状をなす（図９（Ｃ））のに応じて、狭幅部５２が連続する部分だけを水平面状とし、残余の部分を傾斜面状としている。連結片５０は、広幅部５１に屋根梁１３との取付孔５１Ａを備え、狭幅部５２にドア横間柱１４の後続する接合片６０及び屋根梁１３との取付孔５２Ａを備える。
【００３３】
また、庇取付用間柱１６では、該間柱１６の上面と、該間柱１６の側面に溶接されている庇取付部３０の上面とが面一をなすようにしている。そして、庇取付用間柱１６の上面と庇取付部３０の上面に連結片５０を載置して溶接するものとしている。連結片５０の広幅部５１が庇取付用間柱１６の上面に、連結片５０の狭幅部５２が庇取付部３０の上面に溶接される。
【００３４】
連結片５０を溶接された庇取付用間柱１６は、該連結片５０を介して玄関部１０Ａの屋根梁１３の下面に接合される。
【００３５】
このとき、連結片５０の広幅部５１を屋根梁１３の下面に添設し、取付孔５１Ａに挿通されるボルト５３（図３）を屋根梁１３の下フランジに挿通して接合される。
【００３６】
また、連結片５０の狭幅部５２の庇取付部３０よりも横方向に突出している先端部分を、ドア横間柱１４の上面に溶接されている接合片６０の上面に載置する。接合片６０は、図１０に示す如く、ドア横間柱１４の上面（間柱１４のＣ形鋼のフランジとウエブの上端面）に載置されて溶接される広幅部６１と、ドア横間柱１４のＣ形鋼のウエブに沿って横方向に延在される狭幅部６２とからなる。接合片６０は、狭幅部６２の上面に連結片５０（狭幅部５２）の板厚と同厚のスペーサ６３を溶接されて備える。接合片６０は、広幅部６１に連結片５０の狭幅部５２及び屋根梁１３との取付孔６１Ａを備え、狭幅部６２及びスペーサ６３に屋根梁１３との取付孔６２Ａを備える。これにより、ドア横間柱１４の接合片６０の広幅部６１及び連結片５０の狭幅部５２を屋根梁１３の下面に添設し、取付孔５２Ａ及び取付孔６１Ａに挿通されるボルト５４（図３）を屋根梁１３の下フランジに挿通して接合される。ここで、連結片５０の狭幅部５２はドア横間柱１４の接合片６０の狭幅部６２及びスペーサ６３の上面にまで及んでいない。続けて、ドア横間柱１４の接合片６０の狭幅部６２上のスペーサ６３を屋根梁１３の下面に添設し、取付孔６２Ａに挿通されるボルト５５（図３）を屋根梁１３の下フランジに挿通して接合される。
【００３７】
尚、ドア横間柱１４と庇取付用間柱１６の間隔が図３に示す如くに長いとき（図５はドア横間柱１４と庇取付用間柱１６の間隔が短い場合を示している）には、ドア横間柱１４と庇取付用間柱１６の間に延在している連結片５０の狭幅部５２に設けられる取付孔５２Ｂに差し込まれるボルト５６（図３）を屋根梁１３の下フランジに挿通して接合する。
【００３８】
更に、コーナー間柱１７は、図１１〜図１４に示す如くの接合片７０を上端部に備える。接合片７０は、コーナー間柱１７のＬ形鋼のウエブの上端部を水平方向に折り曲げられたものであり、屋根梁１３との取付孔７１Ａを備える。コーナー間柱１７の接合片７０を屋根梁１３の下面に添設し、取付孔７１Ａに挿通されるボルト７２（図３）を屋根梁１３の下フランジに挿通して接合される。
【００３９】
以下、庇取付用間柱１６、コーナー間柱１７の補強構造について説明する。
庇取付用間柱１６は、高さ方向の上端寄り中間部に水平補強材８１が設けられる。水平補強材８１は、図６、図８に示す如く、庇取付用間柱１６の高さ方向で、庇取付部３０の下端部に概ね合致する高さ位置において、庇取付用間柱１６のＣ形鋼の横断面の内側面に溶接される四角板状をなす。
【００４０】
庇取付用間柱１６に設けた庇取付部３０のポーチ庇取付面３１に対する裏面に補強部材８２が設けられる。補強部材８２は、図９（Ａ）に示す如く、庇取付部３０のポーチ庇取付面３１の裏面と連結片５０の下面とに交差して溶接される補強板８２Ａにて構成される。また、補強部材８２は、庇取付部３０のポーチ庇取付面３１の裏面の下縁に補強板８３を突き合せ溶接し、ポーチ庇取付面３１の裏面と補強板８３とに交差して溶接される補強板８２Ｂにて構成される。
【００４１】
コーナー間柱１７は、高さ方向の上端寄り部の上下２位置に水平補強材９１、９２が設けられる。水平補強材９１、９２は、図１１、図１３に示す如く、コーナー間柱１７のＬ形鋼の横断面の内側面に溶接される三角板状をなす。
【００４２】
本実施例によれば以下の作用効果を奏する。
(a)庇取付用間柱１６に連結片５０が接合され、この庇取付用間柱１６が該連結片５０により隣接するドア横間柱１４に連結される。庇取付用間柱１６が隣接するドア横間柱１４との連結により簡易に強度向上され、ポーチ庇２１の積雪荷重を含む重みによる該庇取付用間柱１６の玄関前方への撓み変形を回避できる。
【００４３】
(b)庇取付用間柱１６の上面に、横方向に突出して隣接するドア横間柱１４に連結される連結片５０を備えたことにより、上述(a)による庇取付用間柱１６とドア横間柱１４との連結を一層簡易かつ確実に実現できる。
【００４４】
(c)庇取付用間柱１６の上面と該庇取付用間柱１６に設けた庇取付部３０の上面とが面一をなし、それらの上面に連結片５０が載置されて接合される。これにより、連結片５０を庇取付用間柱１６とそれに設けてある庇取付部３０とに強固に接合し、この連結片５０によって庇取付用間柱１６とドア横間柱１４とを一層強固に連結できる。
【００４５】
(d)庇取付用間柱１６が連結片５０を介して玄関部１０Ａの屋根梁１３の下面に接合される。庇取付用間柱１６が連結片５０とともに玄関部１０Ａの屋根梁１３の下面に接合されるものになり、庇取付用間柱１６の強度を一層向上し、上述(a)のポーチ庇２１の積雪荷重を含む重みによる該庇取付用間柱１６の玄関前方への撓み変形を一層確実に回避できる。
【００４６】
(e)庇取付用間柱１６の高さ方向の中間部に水平補強材８１が設けられることにより、庇取付用間柱１６を補強できる。上述(a)のポーチ庇２１の積雪荷重を含む重みによる該庇取付用間柱１６の玄関前方への撓み変形を一層確実に回避できる。
【００４７】
(f)庇取付用間柱１６に設けた庇取付部３０のポーチ庇取付面３１に対する裏面に補強部材８２を設けることにより、庇取付部３０を補強できる。ポーチ庇２１の積雪荷重を含む重みと、それによる回転力を、補強された庇取付部３０を介して庇取付用間柱１６に安定的に伝達できる。
【００４８】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００４９】
本発明は、玄関部の間柱に設けた庇取付部にポーチ庇が取付けられてなる玄関ポーチの構造において、前記間柱に連結片が接合され、この間柱が該連結片により隣接する他の間柱に連結される。これにより、ポーチ庇が取付られる庇取付部を設けた庇取付用間柱の強度を簡易に向上することができる。
【符号の説明】
【００５０】
１０Ａ  玄関部
１３  屋根梁
１４  ドア横間柱（他の間柱）
１６  庇取付用間柱
２０  玄関ポーチ
２１  ポーチ庇
３０  庇取付部
３１  ポーチ庇取付面
５０  連結片
８１  水平補強材
８２  補強部材
【図１】
2014025322.tif 000003
【図２】
2014025322.tif 000004
【図３】
2014025322.tif 000005
【図４】
2014025322.tif 000006
【図５】
2014025322.tif 000007
【図６】
2014025322.tif 000008
【図７】
2014025322.tif 000009
【図８】
2014025322.tif 000010
【図９】
2014025322.tif 000011
【図１０】
2014025322.tif 000012
【図１１】
2014025322.tif 000013
【図１２】
2014025322.tif 000014
【図１３】
2014025322.tif 000015
【図１４】
2014025322.tif 000016